(57)【要約】【課題】養生装置において、養生材を簡単且つ確実に連結することで風などによる隙間の発生をなくして塗料粉等の外方漏洩を防止すると共に、養生材を安定して昇降自在に支持することで養生材の損傷を抑制して作業対象物を適正に被覆可能とする。【解決手段】ネット１１ａ，１１ｂを連結するクリップ２１を、クリップ本体２２とストッパ２３とから構成し、クリップ本体２２を、略水平をなしてガイドワイヤー１４が貫通すると共にネット１１ａ，１１ｂの通し孔１３ａ，１３ｂの内径より大きな外径を有するリング部２２ａと、リング部２２ａに対してほぼ９０度の位相差をもって通し孔１３ａ，１３ｂに挿通される挿通部２２ｂと、挿通部２２ｂの先端部に形成された連結部２２ｃとで構成する一方、ストッパ２３が連結部２２ｃに連結することで、通し孔１３ａ，１３ｂの縁部に当接して挿通部２２ｂの脱落を阻止可能とする。【選択図】      図１
2005336808.tif 000002
【特許請求の範囲】
【請求項１】
作業対象物に上下方向に沿って設けられたガイド索と、前記作業対象物を被覆可能であって各端部に通し孔が形成された複数の養生材と、該養生材の端部同士が重なった状態で前記各通し孔に係合して前記複数の養生材を互いに連結すると共に該養生材を前記ガイド索に沿って昇降自在に支持するクリップとを具えた養生装置において、前記クリップは、略水平をなして前記ガイド索が貫通すると共に前記通し孔の内径より大きな外径を有するリング部と、該リング部に対してほぼ９０度の位相差をもって前記養生材の通し孔に挿通される挿通部と、前記通し孔の縁部に当接して該通し孔から前記挿通部の脱落を阻止するストッパ部とを有することを特徴とする養生装置。
【請求項２】
請求項１記載の養生装置において、前記リング部と前記通し穴の縁部との隙間、前記ストッパ部と前記通し穴の縁部との隙間が所定値以下に設定されたことを特徴とする養生装置。
【請求項３】
請求項２記載の養生装置において、前記隙間は、重なった状態にある前記養生材同士の動きを阻害しない値に設定されたことを特徴とする養生装置。
【請求項４】
請求項１記載の養生装置において、線材のほぼ中央部を湾曲状に折り曲げて前記リング部が形成され、該リング部に連続する線材の直線部をほぼ９０度捻って前記挿通部が形成され、該挿通部に連続する線材の先端部を互い重なるように折り曲げて前記ストッパ部と連結する連結部が形成されたことを特徴とする養生装置。
【請求項５】
請求項１記載の養生装置において、前記リング部と前記挿通部は線材が折り曲げられて無端に形成され、線材の端部が重なるようにリング状に折り曲げて前記挿通部の先端部と連結するストッパ部が形成されたことを特徴とする養生装置。
【請求項６】
請求項１記載の養生装置において、線材のほぼ中央部を湾曲状に折り曲げて前記リング部が形成され、該リング部に連続する線材の直線部をほぼ９０度捻って前記挿通部が形成され、該挿通部に連続する線材の先端部を互いに離間する方向に折り曲げて前記ストッパ部が形成されたことを特徴とする養生装置。
【請求項７】
請求項１から６のいずれか一つに記載の養生装置において、第１養生材の中途部が折り返され、該折り返し部が第１補強材に挟持されて第１通し孔が形成される一方、前記第１養生材に隣接する第２養生材の端部が第２補強材に挟持されて第２通し孔が形成され、前記第１通し孔と前記第２通し孔が重なった状態で前記クリップが係合すると共に、前記第１養生材の端部が係止ピンにより前記第２養生材に係止されることで、前記第１養生材と前記第２養生材とが連結されることを特徴とする養生装置。
【発明の詳細な説明】
【技術分野】
【０００１】
本発明は、塔状構造物などの作業対象物に対する塗装作業等の養生材による被覆が必要な作業に適用する養生装置に関する。
【背景技術】
【０００２】
図１２は、養生ネットが取付けられた鉄塔支持型煙突等の塔状構造物の側面図、図１３は 、養生ネットが取付けられた塔状構造物の要部水平断面図、図１４は、従来の養生ネットの要部斜視図、図１５−１は、従来の養生装置に用いられる養生ネットの連結部を表す要部正面図、図１５−２は、従来の養生ネットの連結部を表す要部上面図、図１６−１は、従来の別の養生装置に用いられる養生ネットの連結部を表す要部正面図、図１６−２は、従来の別の養生ネットの連結部を表す要部上面図である。
【０００３】
一般的に、鉄塔支持型煙突等の塔状構造物に対して塗装替え作業を行う場合、図１２及び図１３に示すように、例えば、筒身００２を鉄塔００３により支持するようにして構築された鉄塔支持型の煙突等の塔状構造物００１に対して、この鉄塔００３の周りに塗料や塗膜片等の飛散を防止するための複数枚の養生ネット（または養生シート）００５を設け、これを囲んで被覆した後、塔状構造物００１の頂部から吊り下げたゴンドラ００４上に作業者が搭乗し、このゴンドラ００４を昇降させながら作業を行うようにしている。
【０００４】
従来の養生ネット００５は、図１４に示すように、複数の小幅のネット００５ａ，００５ｂ・・・をその側縁部が繋ぎ合わせて構成され、このようにして構成された各養生ネット００５がそれぞれネットポール００６を介してワイヤロープ００７により吊り下げられる。そして、各養生ネット００５は、このワイヤロープ００７を上昇させたり下降させたりすることにより、塔状構造物００１の頂部から予め垂下設定されたガイドワイヤー００８に沿って所定の高さまで上昇したり、上昇した位置から下降したりすることができる。
【０００５】
このような従来の養生装置において、図１５−１及び図１５−２に示すように、取付金具００９は線材が８の字に折り曲げられて構成されている。そして、後側円弧部００９ａにガイドワイヤー００８を挿通させると共に、前側円弧部００９ｂを、予めネット００５ａ，００５ｂの側縁部０１１ａ，０１１ｂに所定間隔で設けられて補強リング０１２ａ，０１２ｂにより補強された通し孔０１３ａ，０１３ｂにそれぞれ挿し込み、先端部００９ｃ同士を捩って相互に係止されている。また、図１６−１及び図１６−２に示すように、従来の別の取付金具０２１は、挿通孔０２１ａにガイドワイヤー００８を挿通させ、また、２本の挿し込み部０２１ｂをそれぞれ通し孔０１３ａ，０１３ｂにきつく挿し込んで連結するものである。
【０００６】
なお、このような従来の養生装置としては、例えば、下記特許文献１に記載されたものがある。
【０００７】
【特許文献１】特公昭６１−０１９７８４号公報
【発明の開示】
【発明が解決しようとする課題】
【０００８】
ところが、上述した図１５−１及び図１５−２に示す取付金具００９にあっては、構造が簡単で取付けが容易という利点はあるが、反面、通し孔０１３ａ，０１３ｂと取付金具００９との係合が緩くなっている。そのため、養生ネット００５に風が作用した場合、互いに隣接するネット００５ａ，００５ｂの側縁部０１１ａ，０１１ｂの間が、図１５−１に二点鎖線で示すように、捲れて互いに隣接するネット００５ａ，００５ｂの間に隙間ができてしまい、塗料粉などが外部に漏洩してしまうという問題がある。
【０００９】
また、上述した図１６−１及び図１６−２に示す従来の別の取付金具０２１にあっては、通し孔０１３ａ，０１３ｂと挿し込み部０２１ｂとの嵌合がきついため、風などの外力が作用しても互いに隣接するネット００５ａ，００５ｂ間に隙間ができにくい。しかし、各ネット００５ａ，００５ｂの通し孔０１３ａ，０１３ｂと取付金具０２１の挿し込み部０２１ｂとの嵌合がきついことにより、例えば、風によってネットが振動した場合、通し孔０１３ａ，０１３ｂに取付けた補強リング０１２ａ，０１２ｂと挿し込み部０２１ｂとが摩擦し、この摩擦力を受けて補強リング０１２ａ，０１２ｂが損傷し、養生ネット００５が使用できなくなってしまうという問題がある。
【００１０】
なお、上述した従来の養生装置において、例えば 、図１６−１及び図１６−２に示すように、一方のネット００５ｂの側縁に別途補助シート０２２を継ぎ足して取付けることにより、互いに隣接するネット００５ａ，００５ｂ間の隙間をこの補助シート０２２により被覆することで、塗料粉の漏洩を防止することが考えられるが、別途、補助シート０２２を取付けると、そのための機材費が増加してしまうという問題が生じる。
【００１１】
本発明は上述した課題を解決するものであり、養生材を簡単且つ確実に連結することで風などによる隙間の発生をなくして塗料粉等の外方漏洩を防止すると共に、養生材を安定して昇降自在に支持することで養生材の損傷を抑制して作業対象物を適正に被覆可能とした養生装置を提供することを目的とする。
【課題を解決するための手段】
【００１２】
上記の目的を達成するための請求項１の発明の養生装置は、作業対象物に上下方向に沿って設けられたガイド索と、前記作業対象物を被覆可能であって各端部に通し孔が形成された複数の養生材と、該養生材の端部同士が重なった状態で前記各通し孔に係合して前記複数の養生材を互いに連結すると共に該養生材を前記ガイド索に沿って昇降自在に支持するクリップとを具えた養生装置において、前記クリップは、略水平をなして前記ガイド索が貫通すると共に前記通し孔の内径より大きな外径を有するリング部と、該リング部に対してほぼ９０度の位相差をもって前記養生材の通し孔に挿通される挿通部と、前記通し孔の縁部に当接して該通し孔から前記挿通部の脱落を阻止するストッパ部とを有することを特徴とするものである。
【００１３】
請求項２の発明の養生装置では、前記リング部と前記通し穴の縁部との隙間、前記ストッパ部と前記通し穴の縁部との隙間が所定値以下に設定されたことを特徴としている。
【００１４】
請求項３の発明の養生装置では、前記隙間は、重なった状態にある前記養生材同士の動きを阻害しない値に設定されたことを特徴としている。
【００１５】
請求項４の発明の養生装置では、線材のほぼ中央部を湾曲状に折り曲げて前記リング部が形成され、該リング部に連続する線材の直線部をほぼ９０度捻って前記挿通部が形成され、該挿通部に連続する線材の先端部を互い重なるように折り曲げて前記ストッパ部と連結する連結部が形成されたことを特徴としている。
【００１６】
請求項５の発明の養生装置では、前記リング部と前記挿通部は線材が折り曲げられて無端に形成され、線材の端部が重なるようにリング状に折り曲げて前記挿通部の先端部と連結するストッパ部が形成されたことを特徴としている。
【００１７】
請求項６の発明の養生装置では、線材のほぼ中央部を湾曲状に折り曲げて前記リング部が形成され、該リング部に連続する線材の直線部をほぼ９０度捻って前記挿通部が形成され、該挿通部に連続する線材の先端部を互いに離間する方向に折り曲げて前記ストッパ部が形成されたことを特徴としている。
【００１８】
請求項７の発明の養生装置では、第１養生材の中途部が折り返され、該折り返し部が第１補強材に挟持されて第１通し孔が形成される一方、前記第１養生材に隣接する第２養生材の端部が第２補強材に挟持されて第２通し孔が形成され、前記第１通し孔と前記第２通し孔が重なった状態で前記クリップが係合すると共に、前記第１養生材の端部が係止ピンにより前記第２養生材に係止されることで、前記第１養生材と前記第２養生材とが連結されることを特徴としている。
【発明の効果】
【００１９】
請求項１の発明の養生装置によれば、養生材の端部同士が重なった状態で各通し孔にクリップを係合して複数の養生材を互いに連結すると共に、このクリップを用いてこの養生材をガイド索に沿って昇降自在に支持し、このクリップを、略水平をなしてガイド索が貫通すると共に通し孔の内径より大きな外径を有するリング部と、このリング部に対してほぼ９０度の位相差をもって養生材の通し孔に挿通される挿通部と、通し孔の縁部に当接して通し孔から挿通部の脱落を阻止するストッパ部とから構成したので、養生材に風等の外力が作用しても養生材の端部が捲れて互いに隣接する養生材の間に隙間が発生することはなく、塗料粉等の外方漏洩を防止することができると共に、クリップのリング部が常に水平状態に維持されてガイド索により養生材を安定して昇降自在に支持することができ、また、養生材の振動による損傷を抑制することができる。
【００２０】
請求項２の発明の養生装置によれば、リング部と通し穴の縁部との隙間、ストッパ部と通し穴の縁部との隙間を所定値以下に設定したので、養生材に風等の外力が作用してもこの養生材の連結部が必要以上にがたつくことはなく、クリップの変形や損傷を防止することができる。
【００２１】
請求項３の発明の養生装置によれば、隙間を重なった状態にある養生材同士の動きを阻害しない値に設定したので、養生材同士の動きが阻害されずにこの養生材を安定して支持することができると共に、クリップの変形や損傷を確実に防止することができる。
【００２２】
請求項４の発明の養生装置によれば、線材のほぼ中央部を湾曲状に折り曲げてリング部を形成し、このリング部に連続する線材の直線部をほぼ９０度捻って挿通部を形成し、この挿通部に連続する線材の先端部を互い重なるように折り曲げてストッパ部と連結する連結部を形成したので、線材を素材として折り曲げ加工のみでクリップを製作することができ、構造が簡素で製作に際し格別高度な技術や設備を要することがなく、製造コストの低減することができると共に、作業性を向上することができる。
【００２３】
請求項５の発明の養生装置によれば、リング部と挿通部を、線材を折り曲げて無端に形成し、線材の端部が重なるようにリング状に折り曲げて挿通部の先端部と連結するストッパ部を形成したので、線材を素材として折り曲げ加工のみでクリップを製作することができ、構造が簡素で製作に際し格別高度な技術や設備を要することがなく、製造コストの低減することができると共に、作業性を向上することができる。
【００２４】
請求項６の発明の養生装置によれば、線材のほぼ中央部を湾曲状に折り曲げてリング部を形成し、このリング部に連続する線材の直線部をほぼ９０度捻って挿通部を形成し、この挿通部に連続する線材の先端部を互いに離間する方向に折り曲げてストッパ部を形成したので、線材を素材として折り曲げ加工した一つの部材だけでクリップを製作することができ、構造を簡素化することができると共に製造コストの低減することができ、また、作業性を向上することができる。
【００２５】
請求項７の発明の養生装置によれば、第１養生材の中途部を折り返し、この折り返し部を第１補強材に挟持して第１通し孔を形成する一方、第１養生材に隣接する第２養生材の端部を第２補強材に挟持して第２通し孔を形成し、第１通し孔と第２通し孔を重ねた状態でクリップを係合すると共に、第１養生材の端部を係止ピンにより第２養生材に係止することで、第１養生材と第２養生材とを連結したので、養生材同士を隙間なく強固に連結することができ、強風下においても養生材の端部がめくれることはなく、塗料粉等の外方漏洩を確実に防止することができる。
【発明を実施するための最良の形態】
【００２６】
以下に添付図面を参照して、本発明に係る養生装置の好適な実施例を詳細に説明する。なお、この実施例によりこの発明が限定されるものではない。
【実施例１】
【００２７】
図１は、本発明の実施例１に係る養生装置における養生ネットの連結部を表す一部切欠平面図、図２−１は、実施例１の養生装置におけるクリップ本体の平面図、図２−２は、実施例１の養生装置におけるクリップ本体の側面図、図３−１は、実施例１の養生装置におけるストッパの平面図、図３−２は、実施例１の養生装置におけるストッパの側面図、図４は、実施例１の養生装置における養生ネットの作動状態を表す一部切欠平面図である。
【００２８】
実施例１の養生装置は、鉄塔支持型煙突等の塔状構造物に対する塗装替え作業において、静電エアレス塗装を採用できるように、塗料ミストの飛散養生を緻密に行うことを可能としたものである。この静電エアレス塗装は、塗装ガンの先端部にイオン層（マイナス極）を作って塗料粒子に静電気を帯びさせる一方、塗装対象物をアース状態（ゼロ電位）にすることにより、塗装粒子との間に静電気力を作用させ、塗装対象物への塗料の吸着力を促進させるものである。この場合、養生ネットとして、導電性を付加したネット、導電性を高めるためにステンレス細線を編みこんだ高導電性養生ネットを使用することとなり、塗装作業が円滑に行われるように、複数の養生ネットを強固に連結して塗料ミストの飛散を確実に防止する必要がある。
【００２９】
そして、実施例１の養生装置において、図１に示すように、養生材としての養生ネット１１は、複数の小幅のネット１１ａ，１１ｂ・・・の側縁部がクリップ２１により連結されて構成され、作業対象物としての塔状構造物の周囲に、図示しないネットポールを介してワイヤロープにより吊り下げられる。この状態で、作業者が塔状構造物の頂部から吊り下げたゴンドラに搭乗し、このゴンドラを昇降させながら塗装作業を行う。そして、養生ネット１１は、ワイヤロープを上昇または下降させることで、塔状構造物の頂部から予め垂下設定されたガイド索としてのガイドワイヤー１４に沿って所定の高さまで昇降することができる。
【００３０】
この養生ネット１１において、小幅のネット１１ａ，１１ｂは、左右の側縁部に上下方向に沿って所定間隔で補強リング１２ａ，１２ｂにより補強された通し孔１３ａ，１３ｂが形成されている。また、塔状構造物の外周には上下方向に沿ってガイドワイヤー１４が設けられている。クリップ２１は、各ネット１１ａ，１１ｂの側縁部同士が重なった状態で各通し孔１３ａ，１３ｂに係合することで、各ネット１１ａ，１１ｂを互いに連結することができると共に、養生ネット１１をガイドワイヤー１４に沿って昇降自在に支持することができる。
【００３１】
このクリップ２１は、クリップ本体２２とストッパ２３とから構成されている。そして、クリップ本体２２は、略水平をなしてガイドワイヤー１４が貫通すると共にネット１１ａ，１１ｂの通し孔１３ａ，１３ｂの内径より大きな外径を有するリング部２２ａと、このリング部２２ａに対してほぼ９０度の位相差をもって鉛直をなしてネット１１ａ，１１ｂの通し孔１３ａ，１３ｂに挿通される挿通部２２ｂとを有している。また、ストッパ２３は、ネット１１ａ，１１ｂの通し孔１３ａ，１３ｂの縁部に当接してこの通し孔１３ａ，１３ｂから挿通部２２ｂの脱落を阻止するストッパ部として機能する。
【００３２】
具体的に説明すると、クリップ本体２２は、図２−１及び図２−２に示すように、例えば、線材を素材としてこの線材のほぼ中央部を湾曲状に折り曲げて略円形状をなすリング部２２ａを形成する。そして、このリング部２２ａに連続する２つの線材の直線部をほぼ９０度捻って平行をなす一対の挿通部２２ｂを形成する。更に、この各挿通部２２ｂに連続する２つの線材の先端部を互い重なるように内側に折り曲げて連結部２２ｃを形成する。一方、ストッパ２３は、図３−１及び図３−２に示すように、例えば、線材を素材としてこの線材を湾曲状に曲げて円形状に形成し、その端部を結合する。
【００３３】
この場合、図１に示すように、クリップ本体２２のリング部２２ａと挿通部２２ｂとがほぼ９０度の位相差をもって一体に形成されており、図４に示すように、風などの外力を受けて各ネット１１ａ，１１ｂが互いに離間する方向に移動したとき、通し孔１３ａ，１３ｂがずれてクリップ本体２２の挿通部２２ｂを挟み込むことで、この挿通部２２ｂが鉛直状態に規定される一方、リング部２２ａは水平状態に規定されることとなり、このリング部２２ａとガイドワイヤー１４との摩擦抵抗が減少し、両者の干渉が抑制されて養生ネット１１のスムースな昇降が可能となる。
【００３４】
また、クリップ本体２２のリング部２２ａは、ネット１１ａ，１１ｂの通し孔１３ａ，１３ｂの内径より大きな外径を有し、ストッパ２３もネット１１ａ，１１ｂの通し孔１３ａ，１３ｂの内径より大きな外径を有し、且つ、この通し孔１３ａ，１３ｂに挿通された後のクリップ本体２２（挿通部２２ｂ）の連結部２２ｃに連結されることとなる。クリップ本体２２は弾性力を有しており、この弾性力に抗して連結部２２ｃを広げてリング状のストッパ２３に連結することができる。そのため、クリップ２１は、リング部２２ａとストッパ２３が通し孔１３ａ，１３ｂの縁部に当接することで、この通し孔１３ａ，１３ｂからの挿通部２２ｂの脱落を阻止することができる。
【００３５】
このネット１１ａ，１１ｂがクリップ２１により連結された状態にて、クリップ本体２２のリング部２２ａと通し穴１３ａ，１３ｂの縁部との隙間、並びに、ストッパ２３と通し穴１３ａ，１３ｂの縁部との隙間が所定値以下になるように設定されている。この隙間の所定値は、縁部が重なった状態にあるネット１１ａ，１１ｂ同士の動きを阻害しない値となっている。即ち、図１に実線で示すように、クリップ本体２２のリング部２２ａが通し穴１３ａ，１３ｂの縁部に当接した状態で、連結部２２ｃに連結されたストッパ２３が、図１に二点鎖線で示すように、通し穴１３ａ，１３ｂの縁部に当接する位置まで移動可能な隙間量となっている。具体的にこの隙間量は、図４に示すように、各ネット１１ａ，１１ｂが互いに離間する方向に移動したとき、通し孔１３ａ，１３ｂの端面がクリップ本体２２の挿通部２２ｂを確実に挟み込むことができる量であり、且つ、クリップ２１の不要な動作を抑制できる量となっている。
【００３６】
このように構成された養生装置を取付ける場合、図１に示すように、例えば、一方のネット１１ａの側縁部に対して、他方のネット１１ｂの側縁部を重ね合わせ、このネット１１ａ，１１ｂの側縁同士を重ね合わせた状態で、表面からクリップ本体２２のリング部２２ａを持って挿通部２２ｂを通し孔１３ａ，１３ｂに挿し込んで挿通させる。そして、クリップ本体２２のリング部２２ａにガイドワイヤー１４に貫通して支持させた上、重ね合わせたネット１１ａ，１１ｂの裏面側に突出した連結部２２ｃにストッパ２３を連結させる。隣接するネット１１ａ，１１ｂの側縁部同士にて、複数箇所をクリップ２１により連結することで２つのネット１１ａ，１１ｂは確実に連結され、同様にして、他のネットを連続して連結することで、塔状構造物の全周を養生ネット１１により被覆することができる。
【００３７】
このように実施例１の養生装置にあっては、養生ネット１１を構成する複数のネット１１ａ，１１ｂ・・・の側縁部を重ね合わせた状態で、クリップ本体２２の挿通部２２ａを通し孔１３ａ，１３ｂに挿し込んで挿通させ、先端部の連結部２２ｃにストッパ２３を連結することで、各ネット１１ａ，１１ｂを確実に連結して養生ネット１１を構成するようにしている。従って、風等により外力を受けても各ネット１１ａ，１１ｂ同士の連結部に隙間が発生することがなく、その結果、養生ネット１１で被覆された作業空間内において生じた塗料粉が外部に漏洩することはなく、清潔でクリーンな作業環境を常に、且つ、確実に維持することができ、クリーンな塗装作業を遂行することができる。
【００３８】
また、各ネット１１ａ，１１ｂを連結するクリップ２１を、クリップ本体２２とストッパ２３とから構成し、クリップ本体２２を、略水平をなしてガイドワイヤー１４が貫通すると共にネット１１ａ，１１ｂの通し孔１３ａ，１３ｂの内径より大きな外径を有するリング部２２ａと、リング部２２ａに対してほぼ９０度の位相差をもって鉛直をなして通し孔１３ａ，１３ｂに挿通される挿通部２２ｂと、挿通部２２ｂの先端部に形成された連結部２２ｃとで構成する一方、ストッパ２３がこの連結部２２ｃに連結することで、通し孔１３ａ，１３ｂの縁部に当接して挿通部２２ｂの脱落を阻止するようにしている。
【００３９】
従って、クリップ本体２２のリング部２２ａと挿通部２２ｂとがほぼ９０度の位相差をもって一体に形成されるため、クリップ２１により各ネット１１ａ，１１ｂが連結された状態で、風などの外力を受けてこのネット１１ａ，１１ｂが互いに離間する方向に移動したとき、各通し孔１３ａ，１３ｂがずれてクリップ本体２２の挿通部２２ｂを挟み込むことで、この挿通部２２ｂが鉛直状態に規定される一方、リング部２２ａは水平状態に規定されることとなり、このリング部２２ａと上下方向に配索されたガイドワイヤー１４との摩擦抵抗が減少し、両者の干渉が抑制されて養生ネット１１をスムースに昇降させることができる。
【００４０】
更に、クリップ２１により各ネット１１ａ，１１ｂが連結された状態にて、クリップ本体２２のリング部２２ａと通し穴１３ａ，１３ｂの縁部との隙間、並びに、ストッパ２３と通し穴１３ａ，１３ｂの縁部との隙間が所定値以下、つまり、この隙間の大きさが、縁部が重なった状態にあるネット１１ａ，１１ｂ同士の動きを阻害しない値となっている。従って、クリップ本体２２と各ネット１１ａ，１１ｂとはこの隙間の範囲内だけで移動が可能となっており、各ネット１１ａ，１１ｂの移動によりクリップ２１に負担が作用することはなく、一方で、クリップ２１の不要な動作を抑制することができ、その結果、クリップ２１の変形や損傷等を防止することができる。
【００４１】
また、クリップ本体２２は、線材を折り曲げただけで製作することができ、構成を簡素化することができ、器材費が少なくて済み、ガイドワイヤー１４の支持作業とネット１１ａ，１１ｂの通し孔１３ａ，１３ｂへの挿通作業とをワンタッチ動作で簡単に行うことができ、養生ネット１１の取付作業を簡単に行うことができる。
【００４２】
そして、本実施例のクリップ２１により各ネット１１ａ，１１ｂを隙間なく連結することができるため、この養生ネット１１として導電性を付加したネットや高導電性養生ネットを使用し、本実施例の養生装置を静電エアレス塗装作業に適用することができ、塗料ミストの飛散を確実に防止して塗装作業を円滑に行うことができる。
【実施例２】
【００４３】
図５は、本発明の実施例２に係る養生装置における養生ネットの連結部を表す一部切欠平面図、図６−１は、実施例２の養生装置におけるクリップ本体の平面図、図６−２は、実施例２の養生装置におけるクリップ本体の側面図、図７−１は、実施例２の養生装置におけるストッパの平面図、図７−２は、実施例２の養生装置におけるストッパの側面図である。なお、前述した実施例で説明したものと同様の機能を有する部材には同一の符号を付して重複する説明は省略する。
【００４４】
実施例２の養生装置において、図５に示すように、クリップ３１は、各ネット１１ａ，１１ｂの側縁部同士が重なった状態で各通し孔１３ａ，１３ｂに係合することで、各ネット１１ａ，１１ｂを互いに連結することができると共に、養生ネット１１をガイドワイヤー１４に沿って昇降自在に支持することができる。
【００４５】
このクリップ３１は、クリップ本体３２とストッパ３３とから構成されている。そして、クリップ本体３２は、略水平をなしてガイドワイヤー１４が貫通すると共にネット１１ａ，１１ｂの通し孔１３ａ，１３ｂの内径より大きな外径を有するリング部３２ａと、このリング部３２ａに対してほぼ９０度の位相差をもって鉛直をなしてネット１１ａ，１１ｂの通し孔１３ａ，１３ｂに挿通される挿通部３２ｂとを有している。また、ストッパ３３は、ネット１１ａ，１１ｂの通し孔１３ａ，１３ｂの縁部に当接してこの通し孔１３ａ，１３ｂから挿通部３２ｂの脱落を阻止するストッパ部として機能する。
【００４６】
具体的に説明すると、クリップ本体３２は、図６−１及び図６−２に示すように、例えば、線材を素材としてこの線材のほぼ中央部を湾曲状に折り曲げて略円形状をなすリング部３２ａを形成する。そして、このリング部３２ａに連続する２つの線材の直線部をほぼ９０度捻って平行をなす一対の挿通部３２ｂを形成する。更に、この各挿通部３２ｂに連続する２つの線材の先端部を内側に折り曲げて接合して係止部３２ｃを形成する。一方、ストッパ３３は、図７−１及び図７−２に示すように、例えば、線材を素材としてこの線材をその端部が重なるように湾曲状に曲げて円形状に形成し、その連結部３３ａを形成する。
【００４７】
この場合、図５に示すように、クリップ本体３２のリング部３２ａと挿通部３２ｂとがほぼ９０度の位相差をもって一体に形成されており、風などの外力を受けて各ネット１１ａ，１１ｂが互いに離間する方向に移動したとき、通し孔１３ａ，１３ｂがずれてクリップ本体３２の挿通部３２ｂを挟み込むことで、この挿通部３２ｂが鉛直状態に規定される一方、リング部３２ａは水平状態に規定されることとなり、このリング部３２ａとガイドワイヤー１４との摩擦抵抗が減少し、両者の干渉が抑制されて養生ネット１１のスムースな昇降が可能となる。
【００４８】
また、クリップ本体３２のリング部３２ａは、ネット１１ａ，１１ｂの通し孔１３ａ，１３ｂの内径より大きな外径を有し、ストッパ３３もネット１１ａ，１１ｂの通し孔１３ａ，１３ｂの内径より大きな外径を有し、且つ、この通し孔１３ａ，１３ｂに挿通された後のクリップ本体３２（挿通部３２ｂ）の係止部３２ｃに連結されることとなる。ストッパ３３は弾性力を有しており、この弾性力に抗して連結部３３ａを広げてリング状の係止部３２ｃに連結することができる。そのため、クリップ２１は、リング部３２ａとストッパ３３が通し孔１３ａ，１３ｂの縁部に当接することで、この通し孔１３ａ，１３ｂからの挿通部３２ｂの脱落を阻止することができる。
【００４９】
このネット１１ａ，１１ｂがクリップ３１により連結された状態にて、クリップ本体３２のリング部３２ａと通し穴１３ａ，１３ｂの縁部との隙間、並びに、ストッパ３３と通し穴１３ａ，１３ｂの縁部との隙間が所定値以下になるように設定されている。この隙間の所定値は、縁部が重なった状態にあるネット１１ａ，１１ｂ同士の動きを阻害しない値となっている。即ち、図５に実線で示すように、クリップ本体３２のリング部３２ａが通し穴１３ａ，１３ｂの縁部に当接した状態で、係止部３２ｃに連結されたストッパ３３が、図５に二点鎖線で示すように、通し穴１３ａ，１３ｂの縁部に当接する位置まで移動可能な隙間量となっている。なお、具体的な隙間量は、上述した実施例１と同様である。
【００５０】
このように構成された養生装置を取付ける場合、図５に示すように、例えば、一方のネット１１ａの側縁部に対して、他方のネット１１ｂの側縁部を重ね合わせ、このネット１１ａ，１１ｂの側縁同士を重ね合わせた状態で、表面からクリップ本体３２のリング部３２ａを持って挿通部３２ｂを通し孔１３ａ，１３ｂに挿し込んで挿通させる。そして、クリップ本体３２のリング部３２ａにガイドワイヤー１４に貫通して支持させた上、重ね合わせたネット１１ａ，１１ｂの裏面側に突出した係止部３２ｃにストッパ３３を連結させる。隣接するネット１１ａ，１１ｂの側縁部同士にて、複数箇所をクリップ３１により連結することで２つのネット１１ａ，１１ｂは確実に連結され、同様にして、他のネットを連続して連結することで、塔状構造物の全周を養生ネット１１により被覆することができる。
【００５１】
このように実施例２の養生装置にあっては、養生ネット１１における各ネット１１ａ，１１ｂを連結するクリップ３１を、クリップ本体３２とストッパ３３とから構成し、クリップ本体３２を、略水平をなしてガイドワイヤー１４が貫通すると共にネット１１ａ，１１ｂの通し孔１３ａ，１３ｂの内径より大きな外径を有するリング部３２ａと、リング部３２ａに対してほぼ９０度の位相差をもって鉛直をなして通し孔１３ａ，１３ｂに挿通される挿通部３２ｂと、挿通部３２ｂの先端部に形成された係止部３２ｃとで構成する一方、ストッパ３３の連結部３３ａが係止部３２ｃに連結することで、通し孔１３ａ，１３ｂの縁部に当接して挿通部３２ｂの脱落を阻止するようにしている。
【００５２】
従って、クリップ本体３２のリング部３２ａと挿通部３２ｂとがほぼ９０度の位相差をもって一体に形成されるため、クリップ３１により各ネット１１ａ，１１ｂが連結された状態で、風などの外力を受けてこのネット１１ａ，１１ｂが互いに離間する方向に移動したとき、各通し孔１３ａ，１３ｂがずれてクリップ本体３２の挿通部３２ｂを挟み込むことで、この挿通部３２ｂが鉛直状態に規定される一方、リング部３２ａは水平状態に規定されることとなり、このリング部３２ａと上下方向に配索されたガイドワイヤー１４との摩擦抵抗が減少し、両者の干渉が抑制されて養生ネット１１をスムースに昇降させることができる。
【００５３】
また、クリップ３１により各ネット１１ａ，１１ｂが連結された状態にて、クリップ本体３２のリング部３２ａと通し穴１３ａ，１３ｂの縁部との隙間、並びに、ストッパ３３と通し穴１３ａ，１３ｂの縁部との隙間が所定値以下、つまり、この隙間の大きさが、縁部が重なった状態にあるネット１１ａ，１１ｂ同士の動きを阻害しない値となっている。従って、クリップ本体３２と各ネット１１ａ，１１ｂとはこの隙間の範囲内だけで移動が可能となっており、各ネット１１ａ，１１ｂの移動によりクリップ３１に負担が作用することはなく、一方で、クリップ３１の不要な動作を抑制することができ、その結果、クリップ３１の変形や損傷等を防止することができる。
【００５４】
更に、クリップ本体３２及びストッパ３３は、線材を折り曲げただけで製作することができ、構成を簡素化することができ、器材費が少なくて済み、ガイドワイヤー１４の支持作業とネット１１ａ，１１ｂの通し孔１３ａ，１３ｂへの挿通作業とをワンタッチ動作で簡単に行うことができ、養生ネット１１の取付作業を簡単に行うことができる。
【実施例３】
【００５５】
図８は、本発明の実施例３に係る養生装置における養生ネットの連結部を表す一部切欠平面図、図９−１は、実施例３の養生装置におけるクリップの平面図、図９−２は、実施例３の養生装置におけるクリップの側面図である。なお、前述した実施例で説明したものと同様の機能を有する部材には同一の符号を付して重複する説明は省略する。
【００５６】
実施例３の養生装置において、図８に示すように、クリップ４１は、各ネット１１ａ，１１ｂの側縁部同士が重なった状態で各通し孔１３ａ，１３ｂに係合することで、各ネット１１ａ，１１ｂを互いに連結することができると共に、養生ネット１１をガイドワイヤー１４に沿って昇降自在に支持することができる。
【００５７】
このクリップ４１は、略水平をなしてガイドワイヤー１４が貫通すると共にネット１１ａ，１１ｂの通し孔１３ａ，１３ｂの内径より大きな外径を有するリング部４１ａと、このリング部４１ａに対してほぼ９０度の位相差をもって鉛直をなしてネット１１ａ，１１ｂの通し孔１３ａ，１３ｂに挿通される挿通部４１ｂと、ネット１１ａ，１１ｂの通し孔１３ａ，１３ｂの縁部に当接してこの通し孔１３ａ，１３ｂから挿通部４１ｂの脱落を阻止するストッパ部４１ｃとを有している。
【００５８】
具体的に説明すると、クリップ４１は、図９−１及び図９−２に示すように、例えば、線材を素材としてこの線材のほぼ中央部を湾曲状に折り曲げて略円形状をなすリング部４１ａを形成する。そして、このリング部４１ａに連続する２つの線材の直線部をほぼ９０度捻って平行をなす一対の挿通部４１ｂを形成する。更に、この各挿通部４１ｂに連続する２つの線材の先端部を外側に小リング状に折り曲げて一対のストッパ部４１ｃを形成する。
【００５９】
この場合、図８に示すように、クリップ４１のリング部４１ａと挿通部４１ｂとがほぼ９０度の位相差をもって一体に形成されており、風などの外力を受けて各ネット１１ａ，１１ｂが互いに離間する方向に移動したとき、通し孔１３ａ，１３ｂがずれてクリップ４１の挿通部４１ｂを挟み込むことで、この挿通部４１ｂが鉛直状態に規定される一方、リング部４１ａは水平状態に規定されることとなり、このリング部４１ａとガイドワイヤー１４との摩擦抵抗が減少し、両者の干渉が抑制されて養生ネット１１のスムースな昇降が可能となる。
【００６０】
また、クリップ本体４１のリング部４１ａは、ネット１１ａ，１１ｂの通し孔１３ａ，１３ｂの内径より大きな外径を有し、各ストッパ部４１ｃの間隔がネット１１ａ，１１ｂの通し孔１３ａ，１３ｂの内径より大きくなっている。そのため、このクリップ４１は弾性力を有しており、この弾性力に抗して各ストッパ部４１ｃの間隔を狭めることで通し孔１３ａ，１３ｂに挿通し、各ストッパ部４１ｃが弾性力により元位置に復帰して通し孔１３ａ，１３ｂの縁部に当接することで、この通し孔１３ａ，１３ｂからの挿通部４１ｂの脱落を阻止することができる。なお、このネット１１ａ，１１ｂがクリップ４１により連結された状態にて、リング部４１ａと通し穴１３ａ，１３ｂの縁部との隙間、並びに、ストッパ部４１ｃと通し穴１３ａ，１３ｂの縁部と間には、前述した各実施例と同様に、所定量の隙間が設けられている。
【００６１】
このように構成された養生装置を取付ける場合、図８に示すように、例えば、一方のネット１１ａの側縁部に対して、他方のネット１１ｂの側縁部を重ね合わせ、このネット１１ａ，１１ｂの側縁同士を重ね合わせた状態で、クリップ４１のリング部４１ａにガイドワイヤー１４に貫通して支持させた上、表面からリング部４１ａを持って挿通部４１ｂを通し孔１３ａ，１３ｂに挿し込んで挿通させる。このとき、各ストッパ部４１ｃはその間隔が狭められた状態で通し孔１３ａ，１３ｂを挿通した後、弾性力により元位置に復帰し、重ね合わせたネット１１ａ，１１ｂの裏面側に突出する。隣接するネット１１ａ，１１ｂの側縁部同士にて、複数箇所をクリップ４１により連結することで２つのネット１１ａ，１１ｂは確実に連結され、同様にして、他のネットを連続して連結することで、塔状構造物の全周を養生ネット１１により被覆することができる。
【００６２】
このように実施例３の養生装置にあっては、養生ネット１１における各ネット１１ａ，１１ｂを連結するクリップ４１を、略水平をなしてガイドワイヤー１４が貫通すると共にネット１１ａ，１１ｂの通し孔１３ａ，１３ｂの内径より大きな外径を有するリング部４１ａと、リング部４１ａに対してほぼ９０度の位相差をもって鉛直をなして通し孔１３ａ，１３ｂに挿通される挿通部４１ｂと、挿通部４１ｂの先端部に形成されて通し孔１３ａ，１３ｂの縁部に当接して挿通部４１ｂの脱落を阻止するストッパ部４１ｃとで構成している。
【００６３】
従って、クリップ４１のリング部４１ａと挿通部４１ｂとがほぼ９０度の位相差をもって一体に形成されるため、クリップ４１により各ネット１１ａ，１１ｂが連結された状態で、風などの外力を受けてこのネット１１ａ，１１ｂが互いに離間する方向に移動したとき、各通し孔１３ａ，１３ｂがずれて挿通部４１ｂを挟み込むことで、この挿通部４１ｂが鉛直状態に規定される一方、リング部４１ａは水平状態に規定されることとなり、このリング部４１ａと上下方向に配索されたガイドワイヤー１４との摩擦抵抗が減少し、両者の干渉が抑制されて養生ネット１１をスムースに昇降させることができる。
【００６４】
また、クリップ４１により各ネット１１ａ，１１ｂが連結された状態にて、リング部４１ａと通し穴１３ａ，１３ｂの縁部との隙間、並びに、ストッパ部４１ｃと通し穴１３ａ，１３ｂの縁部との隙間が所定値以下、つまり、この隙間の大きさが、縁部が重なった状態にあるネット１１ａ，１１ｂ同士の動きを阻害しない値となっている。従って、クリップ４１と各ネット１１ａ，１１ｂとはこの隙間の範囲内だけで移動が可能となっており、各ネット１１ａ，１１ｂの移動によりクリップ４１に負担が作用することはなく、一方で、クリップ４１の不要な動作を抑制することができ、その結果、クリップ４１の変形や損傷等を防止することができる。
【００６５】
更に、クリップ本体４１は、線材を折り曲げただけで一部品として製作することができ、構成を簡素化することができ、器材費が少なくて済み、ガイドワイヤー１４の支持作業とネット１１ａ，１１ｂの通し孔１３ａ，１３ｂへの挿通作業とをワンタッチ動作で簡単に行うことができ、養生ネット１１の取付作業を簡単に行うことができる。
【００６６】
図１０は、本発明の実施例４に係る養生装置における養生ネットの連結部を表す概略平面図、図１１−１は、実施例４の養生装置におけるネットの端部の補強方法を表す概略図、図１１−２は、実施例４の養生装置におけるネットの連結部を表す概略図である。なお、前述した実施例で説明したものと同様の機能を有する部材には同一の符号を付して重複する説明は省略する。
【００６７】
実施例４の養生装置において、図１０に示すように、養生ネット１１は、小幅のネット１１ａ，１１ｂ，１１ｃ・・の各側縁部が複数のクリップ２１により連結されて構成されるものであるが、この場合、各ネット１１ａ，１１ｂ，１１ｃの側縁部は補強されてから補強リング１２ａ，１２ｂにより通し孔１３ａ，１３ｂが形成され、クリップ２１が各ネット１１ａ，１１ｂの側縁部同士が重なった状態で各通し孔１３ａ，１３ｂに係合することで、各ネット１１ａ，１１ｂが互いに連結されている。
【００６８】
即ち、図１１−１に示すように、第１ネット（第１養生材）１１ａは中途部が折り返され、この折り返し部が断面Ｕ字形状をなす第１補強布（第１補強材）５１ａに挟持され、この第１ネット１１ａ及び第１補強布５１ａを纏めるように補強リング１２ａにより通し孔１３ａが形成されている。一方、図１１−２に示すように、この第１ネット１１ａに隣接する第２ネット（第２養生材）１１ｂは、端部が断面Ｕ字形状をなす第２補強布（第２補強材）５１ｂに挟持され、この第２ネット１１ｂ及び第２補強布５１ｂを纏めるように補強リング１２ｂにより通し孔１３ｂが形成されている。
【００６９】
そして、第１ネット１１ａの第１補強布５１ａと第２ネット１１ｂの第２補強布５１ｂを重ねて、第１通し孔１３ａと第２通し孔１３ｂが合致した状態で、図１０に示すように、クリップ２１のクリップ本体２１を各通し孔１３ａ，１３ｂに挿通し、先端部にストッパ２３を連結する。また、クリップ２１にガイドワイヤー１５を支持させる。その後、第１ネット１１ａの端部を複数の係止ピン５２により第２ネット１１ｂに係止する。なお、この係止ピン５２は、先端部折れ曲がり自在となっており、各ネット１１ａ，１１ｂを貫通させるだけで両者を連結して脱落不能となる。このように各ネット１１ａ，１１ｂが連結されて養生ネット１１が装着される共に、この養生ネット１１をガイドワイヤー１４に沿って昇降自在に支持される。なお、第２ネット１１ｂに隣接する第３ネット１１ｃも、前述と同様の方法により連結される。
【００７０】
このように実施例４の養生装置にあっては、第１ネット１１ａの中途部を折り返して第１補強布５１ａに挟持し、この第１ネット１１ａの折り返し部及び第１補強布５１ａに通し孔１３ａを形成する一方、第１ネット１１ａに隣接する第２ネット１１ｂの端部を第２補強布５１ｂに挟持し、この第２ネット１１ｂの端部及び第２補強布５１ｂに通し孔１３ｂを形成し、各補強布５１ａ，５１ｂを重ねてクリップ２１を各通し孔１３ａ，１３ｂに挿通して係合すると共に、第１ネット１１ａの端部を係止ピン５２により第２ネット１１ｂに係止することで、各ネット１１ａ，１１ｂを連結している。
【００７１】
従って、各ネット１１ａ，ネット１１ｂの端部を各補強布５１ａ，５１ｂにより補強し、この補強布５１ａ，５１ｂを重ねた状態でクリップ２１により連結することで、各ネット１１ａ，１１ｂを隙間なく強固に連結することができる。また、一方のネット１１ａの端部を係止ピン５２により他方のネット１１ｂに連結することで、ネット１１ａの端部のばたつきを抑制することで、風などの外力によるめくれを確実に防止することができる。
【００７２】
なお、この実施例４にて、一方のネット１１ａの端部だけを係止ピン５２により他方のネット１１ｂに連結するようにしたが、他方のネット１１ｂも中途部を折り返してから補強材５１ｂにより補強したが、その端部を係止ピン５２によりネット１１ａに連結するようにしてもよい。
【００７３】
また、上述した各実施例にて、リング部と挿通部とストッパ部とを有するクリップを、クリップ本体とストッパの２部品から構成したり、一体の１部品から構成したが、いずれの構成であってもよく、または、３部品以上から構成してもよい。また、リング部やストッパ部を円環形状としたが、この形状に限るものではない。
【産業上の利用可能性】
【００７４】
本発明に係る養生装置は、ネットを連結するクリップを、ガイド策が貫通するリング部と通し孔に挿通される挿通部とをほぼ９０度の位相差をもって形成することで、養生材を安定して昇降自在に支持するようにしたものであり、複数の養生材からなる養生装置に適用することができる。
【図面の簡単な説明】
【００７５】
【図１】本発明の実施例１に係る養生装置における養生ネットの連結部を表す一部切欠平面図である。
【図２−１】実施例１の養生装置におけるクリップ本体の平面図である。
【図２−２】実施例１の養生装置におけるクリップ本体の側面図である。
【図３−１】実施例１の養生装置におけるストッパの平面図である。
【図３−２】実施例１の養生装置におけるストッパの側面図である。
【図４】実施例１の養生装置における養生ネットの作動状態を表す一部切欠平面図である。
【図５】本発明の実施例２に係る養生装置における養生ネットの連結部を表す一部切欠平面図である。
【図６−１】実施例２の養生装置におけるクリップ本体の平面図である。
【図６−２】実施例２の養生装置におけるクリップ本体の側面図である。
【図７−１】実施例２の養生装置におけるストッパの平面図である。
【図７−２】実施例２の養生装置におけるストッパの側面図である。
【図８】本発明の実施例３に係る養生装置における養生ネットの連結部を表す一部切欠平面図である。
【図９−１】実施例３の養生装置におけるクリップの平面図である。
【図９−２】実施例３の養生装置におけるクリップの側面図である。
【図１０】本発明の実施例４に係る養生装置における養生ネットの連結部を表す概略平面図である。
【図１１−１】実施例４の養生装置におけるネットの端部の補強方法を表す概略図である。
【図１１−２】実施例４の養生装置におけるネットの連結部を表す概略図である。
【図１２】養生ネットが取付けられた鉄塔支持型煙突等の塔状構造物の側面図である。
【図１３】養生ネットが取付けられた塔状構造物の要部水平断面図である。
【図１４】従来の養生ネットの要部斜視図である。
【図１５−１】従来の養生装置に用いられる養生ネットの連結部を表す要部正面図である。
【図１５−２】従来の養生ネットの連結部を表す要部上面図である。
【図１６−１】従来の別の養生装置に用いられる養生ネットの連結部を表す要部正面図である。
【図１６−２】、従来の別の養生ネットの連結部を表す要部上面図である。
【符号の説明】
【００７６】
１１  養生ネット（養生材）
１１ａ，１１ｂ  ネット
１３ａ，１３ｂ  通し孔
１４  ガイドワイヤー（ガイド索）
２１，３１，４１  クリップ
２２，３２  クリップ本体
２２ａ，３２ａ，４１ａ  リング部
２２ｂ，３２ｂ，４１ｂ  挿通部
２２ｃ  連結部
２３，３３  ストッパ
３２ｃ  係止部
３３ａ  連結部
４１ｃ  ストッパ部
５１ａ，５１ｂ  補強布（補強材）
５２  係止ピン
【図１】
2005336808.tif 000003
【図２−１】
2005336808.tif 000004
【図２−２】
2005336808.tif 000005
【図３−１】
2005336808.tif 000006
【図３−２】
2005336808.tif 000007
【図４】
2005336808.tif 000008
【図５】
2005336808.tif 000009
【図６−１】
2005336808.tif 000010
【図６−２】
2005336808.tif 000011
【図７−１】
2005336808.tif 000012
【図７−２】
2005336808.tif 000013
【図８】
2005336808.tif 000014
【図９−１】
2005336808.tif 000015
【図９−２】
2005336808.tif 000016
【図１０】
2005336808.tif 000017
【図１１−１】
2005336808.tif 000018
【図１１−２】
2005336808.tif 000019
【図１２】
2005336808.tif 000020
【図１３】
2005336808.tif 000021
【図１４】
2005336808.tif 000022
【図１５−１】
2005336808.tif 000023
【図１５−２】
2005336808.tif 000024
【図１６−１】
2005336808.tif 000025
【図１６−２】
2005336808.tif 000026